(57)【要約】【課題】入金紙幣の取り扱いにかかる作業性を向上させるとともに、紙幣の盗難等に対するセキュリティを向上させた紙幣処理装置を提供する。【解決手段】紙幣処理装置１は、本体ユニット２の入金口２１に投入された入金紙幣を１枚ずつ繰り出し、その金種を識別する。このとき、金種が識別できなかった紙幣を返却口２２に返却する。本体ユニット２は、返却口２２に返却した紙幣があった場合、ドロアユニット３の引き出し３５の開を許可する。このため、行員は、返却口２２に返却された紙幣を、ドロアユニット３の引き出し３５に収納することができる。【選択図】図３
2010257295.tif 000002
【特許請求の範囲】
【請求項１】
紙幣の金種を識別する識別手段と、
入金口に投入された入金紙幣について、前記識別手段で金種が識別できなかった入金紙幣を返却口に放出する紙幣返却手段と、
前記紙幣返却手段が入金紙幣を前記返却口に放出した場合、一時的にキャッシュドロアを開することを許可する許可手段と、を備えた紙幣処理装置。
【請求項２】
前記紙幣返却手段は、前記識別手段で金種が識別できた入金紙幣であっても、その金種が本体内部に該当する金種のカートリッジが設けられていない取扱金種でなければ、その入金紙幣を返却口に放出する手段である、請求項１に記載の紙幣処理装置。
【請求項３】
前記キャッシュドロアの開指示にかかる入力操作を受け付ける開指示受付手段と、
前記開指示受付手段が前記キャッシュドロアの開指示にかかる入力操作を受け付けたときに、前記許可手段が前記キャッシュドロアを開することを許可していれば、当該キャッシュドロアを開し、反対に、前記許可手段が前記キャッシュドロアを開することを許可していなければ、当該キャッシュドロアを開しない開閉制限手段と、を備えた請求項１、または２に記載の紙幣処理装置。
【請求項４】
前記開指示受付手段は、前記キャッシュドロアに今回収納する紙幣について、金種毎の枚数を受け付ける手段である、請求項３に記載の紙幣処理装置。
【請求項５】
前記開指示受付手段が受け付けた金種毎の枚数を用いて、前記キャッシュドロアに収納されている紙幣の金種毎の枚数を管理する管理手段を備えた、請求項４に記載の紙幣処理装置。
【請求項６】
金種毎の出金紙幣の枚数を含む出金要求を受け付ける出金要求受付手段と、
前記出金要求受付手段が出金要求を受け付けたとき、前記管理手段が管理している前記キャッシュドロアに収納されている紙幣の金種毎の枚数により、今回の出金要求にかかる出金紙幣が前記キャッシュドロアに収納されている紙幣で賄えるかどうかを判定する判定手段と、
前記判定手段が今回の出金要求にかかる出金紙幣が前記キャッシュドロアに収納されている紙幣で賄えると判定したときに、当該キャッシュドロアを開する出金時開手段と、を備えた請求項５に記載の紙幣処理装置。
【発明の詳細な説明】
【技術分野】
【０００１】
この発明は、顧客との間で処理する金融取引にかかる入金紙幣や、出金紙幣を管理する紙幣処理装置に関する。
【背景技術】
【０００２】
従来、銀行等の金融機関の窓口では、行員が顧客と対面して入金取引や出金取引等の各種金融取引を処理している。金融機関の窓口には、行員が顧客との間で処理する金融取引（以下、窓口取引と言う。）にかかる入金紙幣や、出金紙幣の計数や、管理を行う紙幣処理装置が設置されている（特許文献１、２等参照）この紙幣処理装置は、紙幣の真偽や金種を識別する識別部を有し、行員が入金口に投入した紙幣（入金紙幣）の金種を識別し、該当する金種のカートリッジに収納する。また、行員によって出金要求が入力されると、カートリッジから出金する紙幣（出金紙幣）を繰り出し、出金口に放出する。
【０００３】
紙幣処理装置は、識別部で金種が識別できなかった入金紙幣を返却口に放出し、受け付けない。金種が識別できない原因は、多くの場合、紙幣の皺や汚れによるものである。
【０００４】
真券であるにもかかわらず、皺や汚れ等が原因で、識別部で金種が識別できずに、返却口に放出された紙幣が取引に使用できないと、金融取引にかかる入金金額が不足し、処理できない取引が発生する。このため、金融機関では、返却口に放出された紙幣が真券であるかどうかを行員が目視で確認し、真券であることが確認できた紙幣を受け取って金融取引を処理している。また、識別部で金種が識別できなかった紙幣（行員が目視で確認した紙幣）を行員に管理させると、紛失や盗難の危険性が高くなる。そこで、行員が真券であることを確認した紙幣が紙幣処理装置で受け付けられ、管理されるように、識別部の識別レベルを一時的に低下させる機能を紙幣処理装置に設けている。
【特許文献１】特開昭６１−１６９９９０号公報
【特許文献２】特開２００８−３６６５号公報
【発明の開示】
【発明が解決しようとする課題】
【０００５】
しかしながら、行員は、金種が識別できずに返却口に放出された紙幣を、その紙幣が真券であるかどうかを目視で確認し、真券であることを確認した後に、識別部の識別レベルを低下させる操作を行い、その後、放出された紙幣を再度投入口に投入しなければならない。このため、行員の作業性がよくないという問題があった。
【０００６】
また、識別の識別レベルを低下させた後に、再度投入口に投入した紙幣であっても、識別部で金種が識別されるとは限らず、再度返却口に放出されることもある。さらに、紙幣処理装置は、取り扱っていない金種（例えば、２千円）の紙幣であれば、金種が識別できたかどうかにかかわらず、その紙幣を受け付けることがない。特に、紙幣の金種が多い国では、紙幣処理装置が取り扱っていない金種が増加する。したがって、金融機関の窓口では、行員が管理する紙幣をなくすことはできない。このため、行員が管理することになる紙幣の紛失や盗難等に対するセキュリティの向上が要望されている。
【０００７】
この発明の目的は、入金紙幣の取り扱いにかかる作業性を向上させるとともに、紙幣の紛失、盗難等に対するセキュリティを向上させた紙幣処理装置を提供することにある。
【課題を解決するための手段】
【０００８】
この発明の紙幣処理装置は、上記目的を達するために、以下のように構成している。
【０００９】
この紙幣処理装置では、入金口に投入された入金紙幣の金種を識別手段で識別し、金種が識別できなかった入金紙幣については返却口に放出する。返却口に放出される紙幣は、偽造券であるとは限らず、皺や汚れ等によって金種が識別できなかった真券も含まれる。また、紙幣処理装置で取り扱っていない金種の紙幣については、通常、その金種が識別手段の識別対象になっていないので、金種が識別できず返却口に放出される。
【００１０】
そして、許可手段は、入金紙幣が返却口に放出された場合、一時的にキャッシュドロアを開することを許可する。すなわち、行員等の操作者は、返却口に放出された紙幣が真券であるかどうかを目視により確認し、真券であることを確認した紙幣については、キャッシュドロアを開して、収納することができる。
【００１１】
このように、識別手段で金種が識別できなかった紙幣が発生した場合にのみ、開することを許可するキャッシュドロアを設けたので、入金紙幣の取り扱いにかかる作業性を向上させることができるとともに、このキャッシュドロアに収納した紙幣の盗難等に対するセキュリティの向上も図れる。
【００１２】
また、識別手段は、紙幣処理装置で取り扱っていない金種（収納するカートリッジを設けていない金種）の紙幣についても、その金種を識別できる構成としてもよいが、この場合には、紙幣返却手段が、本体で取り扱っていない金種の紙幣を返却口に放出する構成とすればよい。
【００１３】
また、キャッシュドロアに収納する紙幣について、金種毎に枚数を受け付けてから、キャッシュドロアを開する構成とするのが好ましい。ただし、許可手段がキャッシュドロアを開することを許可していないときには、キャッシュドロアを開しない。
【００１４】
また、キャッシュドロアに収納する紙幣について、金種毎に受け付けた枚数を基にして、このキャッシュドロアに収納されている紙幣の管理を行ってもよい。
【００１５】
さらに、金種毎の出金紙幣の枚数を含む出金要求を受け付けたとき、管理手段が管理しているキャッシュドロアに収納されている紙幣の金種毎の枚数により、今回の出金要求にかかる出金紙幣がキャッシュドロアに収納されている紙幣で賄えるかどうかを判定する。そして、今回の出金要求にかかる出金紙幣が前記キャッシュドロアに収納されている紙幣で賄えると判定したときに、当該キャッシュドロアを開する。
【００１６】
このようにすれば、キャッシュドロアに収納されている紙幣が抜き取られている場合、出金要求に対する出金が行えない事態になることがある。したがって、行員等の操作者が、キャッシュドロアに収納されている紙幣を抜き取る不正行為に対する抑止力を高めることができる。
【発明の効果】
【００１７】
この発明によれば、入金紙幣の取り扱いにかかる作業性を向上させることができるとともに、このキャッシュドロアに収納した紙幣の紛失や盗難等に対するセキュリティの向上も図れる。
【図面の簡単な説明】
【００１８】
【図１】紙幣処理装置の外観を示す概略図である。
【図２】紙幣処理装置の主要部の構成を示すブロック図である。
【図３】本体ユニットの内部構成を示す概略図である。
【図４】ドロアユニットを示す概略図である。
【図５】紙幣処理装置の動作を示すフローチャートである。
【図６】入金処理を示すフローチャートである。
【図７】入金処理を示すフローチャートである。
【図８】出金処理を示すフローチャートである。
【発明を実施するための形態】
【００１９】
以下、この発明の実施形態である紙幣処理装置について説明する。
【００２０】
図１は、この発明の実施形態である紙幣処理装置の外観を示す概略図である。この紙幣処理装置１は、本体ユニット２と、ドロアユニット３とを有している。紙幣処理装置１は、銀行等の金融機関の窓口で取引を処理する行員の側に設置される。また、本体ユニット２には、行員が操作する操作端末４がデータ伝送ラインで接続されている。ドロアユニット３は、図１に示すように、本体ユニット２の天板に載置してもよいし、行員のデスク等に載置してもよい。本体ユニット２と、ドロアユニット３とはデータ伝送ラインで接続されている。
【００２１】
なお、紙幣処理装置１は、窓口の間に設置し、両側の２人の行員で共用するようにしてもよい。この場合には、２台の操作端末４が本体ユニット２にデータ伝送ラインで接続される。ここでは、１人の行員が操作するものとして（接続されている操作端末４を１台として）説明する。
【００２２】
図２は、この紙幣処理装置の主要部の構成を示すブロック図である。紙幣処理装置１は、上述したように、本体ユニット２と、ドロアユニット３とを有している。本体ユニット２は、主制御部１１と、搬送部１２と、識別部１３と、通信部１４と、操作部１５と、を備えている。また、ドロアユニット３は、制御部３１と、開閉部３２と、通信部３３と、を備えている。
【００２３】
図３は、本体ユニット、およびドロアユニットの内部構成を示す概略図である。本体ユニット２は、入金口２１、返却口２２、および出金口２３を本体正面に設けている。また、本体ユニット２の内部には、金種別カートリッジ２４（２４ａ〜２４ｄ）と、回収カートリッジ２５とが収納される。金種別カートリッジ２４、および回収カートリッジ２５は、本体に対して着脱自在である。また、本体ユニット２の内部には、一時保留部２６が設けられている。さらに、入金口２１、返却口２２、出金口２３、金種別カートリッジ２４、回収カートリッジ２５、および一時保留部２６を結ぶ紙幣搬送路２７が、本体ユニット２の内部に形成されている。搬送部１２は、紙幣搬送路２７に沿って紙幣を搬送する。また、搬送部１２は、紙幣搬送路２７の分岐点等に設けられているフラッパを制御し、搬送している紙幣の搬送先を制御する。
【００２４】
識別部１３は、紙幣搬送路２７に沿って搬送されている紙幣毎に、その紙幣の磁気パターンや、透過光パターン等を特徴量として読み取り、読み取った特徴量に基づいて金種や真偽を識別する。
【００２５】
ここでは、本体ユニット２は、１万円紙幣、５千円紙幣、および千円紙幣が取扱紙幣であり、２千円紙幣が取扱紙幣でない構成である。金種別カートリッジ２４ａ、２４ｂは、１万円紙幣を収納するカートリッジであり、金種別カートリッジ２４ｃは、５千円紙幣を収納するカートリッジであり、金種別カートリッジ２４ｄは、千円紙幣を収納するカートリッジである。金種別カートリッジ２４は、取扱紙幣でない２千円紙幣については設けていない。すなわち、金種別カートリッジ２４を設けている金種の紙幣が取扱紙幣であり、金種別カートリッジ２４を設けていない金種の紙幣が取扱紙幣でない。
【００２６】
また、識別部１３は、少なくとも、取扱紙幣である１万円紙幣、５千円紙幣、および千円紙幣については金種の識別が行える。また、識別部１３は、取扱紙幣でない２千円紙幣については金種の識別が行えない構成であってもよいし、金種の識別が行える構成であってもよい。ここでは、識別部１３は、取扱紙幣でない２千円紙幣については金種の識別が行えない構成であるとして説明する。
【００２７】
また、通信部１４は、ドロアユニット３や、操作端末４との間における通信を制御する。操作部１５は、本体に対する行員の入力操作を受け付ける。主制御部１１は、本体ユニット２各部の動作を制御するとともに、ドロアユニット３に対する動作指示等も行う。
【００２８】
ここで、本体ユニット２における紙幣の搬送経路について、簡単に説明しておく。まず、入金紙幣の搬送経路について説明する。入金紙幣は、行員により入金口２１に投入される。搬送部１２は、入金口２１に投入された入金紙幣を１枚ずつ繰り出し、識別部１３に搬送する。識別部１３は、１枚ずつ搬送されてくる入金紙幣毎に、その金種を識別する。搬送部１２は、識別部１３で金種が識別でき、且つその金種が取扱紙幣である入金紙幣を一時保留部２６に搬送し収納する。一方、搬送部１２は、識別部１３で金種が識別できなかった入金紙幣や、金種が識別できても、その金種が取扱紙幣でない入金紙幣を返却口２２に搬送し放出する。
【００２９】
また、一時保留部２６に保留した入金紙幣については、本体ユニット２に対する入金金額の確定入力があった後に、搬送部１２が１枚ずつ繰り出し、識別部１３に搬送する。識別部１３は、１枚ずつ搬送されてくる入金紙幣毎に、その金種を識別する。搬送部１２は、識別部１３で金種が識別できた紙幣を、該当する金種の金種別カートリッジ２４に搬送し、収納する。一方、搬送部１２は、識別部１３で金種が識別できなければ、その入金紙幣を回収カートリッジ２５に搬送し、収納する。ただし、一時保留部２６に保留した入金紙幣については、金種毎の枚数が分かっている。また、今回一時保留部２６から繰り出し、金種別カートリッジ２４に収納した、入金紙幣についても金種毎の枚数が分かっている。したがって、回収カートリッジ２５に収納した入金紙幣の金種毎の枚数については推定できる。
【００３０】
次に、出金紙幣の搬送経路について説明する。本体ユニット２は、操作端末４から金種毎に出金紙幣の枚数が指示される。搬送部１２は、金種毎に該当する金種別カートリッジ２４から、指示された枚数の紙幣を繰り出し、識別部１３に搬送する。識別部１３は、１枚ずつ搬送されてくる出金紙幣毎に、その金種を識別する。搬送部１２は、識別部１３で金種が識別できた出金紙幣を出金口２３に搬送する。一方、識別部１３で出金紙幣の金種が識別できなかったとき、この出金紙幣を回収カートリッジ２５に搬送し収納する。また、回収カートリッジ２５に搬送し収納した出金紙幣を繰り出した金種別カートリッジ２４から、出金紙幣を１枚繰り出す。回収カートリッジ２５に収納した出金紙幣については、繰り出した金種別カートリッジ２４が分かっているので、その紙幣の金種を推定できる。
【００３１】
ドロアユニット３の制御部３１は、ドロアユニット３の動作を制御する。ドロアユニット３は、本体正面に引き出せる引き出し３５を有する（図４参照）。この引き出し３５の内部には、トレイ３６が収納されている。トレイ３６には、紙幣を金種別に区別して収納できるように、区切られた複数の収納空間が形成されている。
【００３２】
以下の説明では、引き出し３５がドロアユニット３に収納されている状態を閉状態、引き出し３５がドロアユニット３から引き出されている状態を開状態と言う。開閉部３２は、引き出し３５を閉状態で保持するロック機構を制御し、引き出し３５の開閉を制限する。引き出し３５は、開閉部３２がロック機構によるロックを解除したときに、バネ等の弾性体による押圧力によって、開方向に押し出され開状態に移行する。また、開閉部３２は、行員が引き出し３５を開状態から閉状態に戻したときに、ロック機構によりロックする。また、開閉部３２は、引き出し３５が開状態であるか、閉状態であるかを検知するセンサ（不図示）を有している。通信部３３は、本体ユニット２との間における通信を制御する。ドロアユニット３は、本体ユニット２からの指示にしたがって、開閉部３２が引き出しを開状態にする。
【００３３】
さらに、本体ユニット２の主制御部１１は、金種毎に本体ユニット２の金種別カートリッジ２４に収納されている紙幣の枚数を管理するとともに、本体ユニット２の回収カートリッジ２５に収納されている紙幣についても金種毎の枚数を推定し管理する。また、本体ユニット２の主制御部１１は、ドロアユニット３に収納されている紙幣についても、金種毎の枚数を管理する。また、本体ユニット２の主制御部１１は、ドロアユニット３の引き出し３５を開することを許可するかどうかを示す開閉許可フラグの状態を管理する。
【００３４】
次に、この紙幣処理装置１の動作について説明する。図５は、紙幣処理装置の動作を示すフローチャートである。この紙幣処理装置１は、操作端末４から入金指示があると入金処理を行う（ｓ１、ｓ２）。また、操作端末４から出金指示があると、出金処理を行う（ｓ３、ｓ４）。
【００３５】
窓口で顧客に対応する行員は、顧客から要求された金融取引の内容に応じて、操作端末４を操作し、処理する金融取引にかかる取引データを入力する。操作端末４は、入力された取引データに応じて、本体ユニット２に対して入金指示や、出金指示を行う。具体的には、操作端末４は、行員が顧客から紙幣を受け取る金融取引（例えば、入金取引）にかかる取引データが入力されると、本体ユニット２に対して入金指示を行う。また、操作端末４は、行員が顧客に紙幣を渡す金融取引（例えば、出金取引）にかかる取引データが入力されると、本体ユニット２に対して出金指示を行う。
【００３６】
以下、ｓ２にかかる入金処理、およびｓ４にかかる出金処理について詳細に説明する。まず、ｓ２にかかる入金処理について説明する。
【００３７】
図６、および図７は、この入金処理を示すフローチャートである。本体ユニット２は、ｓ１で操作端末４から入金指示があったと判定すると、ドロアユニット３の引き出し３５を開することを許可するかどうかを示す開閉許可フラグをリセットする（引き出し３５を開状態にするのを許可しない状態にする。）（ｓ１１）。
【００３８】
行員は、顧客から受け取った紙幣を揃えて入金口２１に投入し、操作部１５に設けられている計数開始ボタンを操作する。また、行員は取引を中止するときには、操作部１５に設けられている取消ボタンを操作する。
【００３９】
なお、この計数開始ボタン、および取消ボタンの操作は、操作端末４で行えるようにしてもよい。この場合には、操作端末４から、計数開始や、取消を本体ユニット２に通知する構成とすればよい。
【００４０】
本体ユニット２は、計数開始、または取消にかかる入力を待つ（ｓ１２、ｓ１３）。本体ユニット２は、計数開始にかかる指示が入力されると、入金口２１に投入されている入金紙幣を計数する計数処理を行う（ｓ１４）。ｓ１４では、搬送部１２が、入金口２１に投入されている入金紙幣を１枚ずつ繰り出し、識別部１３に搬送する。搬送部１２は、識別部１３で金種が識別でき、且つその金種が取扱紙幣である入金紙幣を一時保留部２６に搬送し収納する。一方、搬送部１２は、識別部１３で金種が識別できなかった入金紙幣や、金種が識別できても、その金種が取扱紙幣でなかった入金紙幣を返却口２２に搬送し放出する。ｓ１４では、一時保留部２６に収納した入金紙幣について、金種毎に枚数をカウントしている。
【００４１】
本体ユニット２は、今回入金口２１に投入された入金紙幣の計数が完了すると、計数結果を操作端末４に通知する（ｓ１５）。この計数結果は、この時点で、一時保留部２６に収納している入金紙幣の金種毎の枚数、および合計金額である。また、本体ユニット２は、今回の計数処理で返却口２２に放出した入金紙幣の有無を判断し（ｓ１６）、返却口２２に放出した入金紙幣があれば、開閉許可フラグをセットする（引き出し３５を開状態にするのを許可する状態にする。）（ｓ１７）。
【００４２】
行員は、操作端末４において、この時点で一時保留部２６に収納されている入金紙幣の合計金額が、今回の取引が処理できる金額であれば、入金確定にかかる操作を行う。一方、この時点で一時保留部２６に収納されている入金紙幣の合計金額が、今回の取引が処理できない金額であれば、追加投入、またはドロア投入にかかる操作を行う。さらに、今回の取引を中止するときには、取消にかかる操作を行う。
【００４３】
なお、一時保留部２６に収納されている入金紙幣の合計金額が、今回の取引が処理できない金額になるのは、識別部１３で金種が識別できずに、紙幣が返却口２２に放出されている場合や、入金口２１に投入された入金紙幣が足りなかった場合等である。
【００４４】
本体ユニット２は、確定入力、追加投入、ドロア投入、または取消にかかる入力を待つ（ｓ１８〜ｓ２１）。
【００４５】
行員は、先に入金口２１に投入した紙幣が足りなかった場合、顧客から追加投入する入金紙幣を受け取り、この入金紙幣を揃えて入金口２１に投入した後、追加投入にかかる入力操作を行う。本体ユニット２は、追加投入にかかる入力あると、ｓ１１に戻り、上記処理を繰り返す。この場合、ｓ１５で操作端末４に通知する計数結果は、上述したように、この時点で、一時保留部２６に収納している入金紙幣の金種毎の枚数、および合計金額である。すなわち、今回の追加投入にかかる計数処理を行う前に、一時保留部２６に収納されていた入金紙幣も加えた計数結果である。
【００４６】
また、行員は、識別部１３で金種が識別できずに、返却口２２に放出された紙幣を今回の取引で使用する場合、ドロア投入にかかる入力操作を行う。このとき、行員は、ドロアユニット３の引き出し３５に収納する入金紙幣は、識別部１３で金種が識別できずに返却口２２に放出された紙幣である。行員は、ドロア投入にかかる入力操作を行うとき、ドロアユニット３の引き出し３５に収納する入金紙幣の金種毎の枚数を操作端末４で入力している。具体的には、行員は、直前の計数処理で返却口２２に放出された紙幣の金種を目視で確認し、金種毎に枚数を数え、ドロアユニット３の引き出し３５に収納する入金紙幣の金種毎の枚数を入力している。操作端末４は、この入力された、入金紙幣の金種毎の枚数とともに、ドロア投入にかかる要求を本体ユニット２に入力する
本体ユニット２は、ドロア投入にかかる入力があると、図７（Ａ）に示すように、この時点における開閉許可フラグがセットされているかどうかを判定する（ｓ２２）。本体ユニット２は、ｓ２２で開閉許可フラグがセットされていないと判定すると、今回のドロア投入にかかる入力操作を無効とし、ｓ１８に戻る。すなわち、本体ユニット２は、直前の計数処理で返却口２２に放出された紙幣を投入する場合に限り、ドロア投入にかかる入力に応じ、以下に示すｓ２３〜ｓ２６の処理を行う。
【００４７】
本体ユニット２は、直前の計数処理で返却口２２に放出した紙幣があり、ｓ２２で開閉許可フラグがセットされていると判定すると、ドロアユニット３に対して、引き出し３５の開指示を与える。これにより、ドロアユニット３の開閉部３２がロックを解除し、引き出し３５を開状態にする（ｓ２３）。
【００４８】
行員は、開された引き出し３５内のトレイ３６に、入金紙幣を収納し、引き出し３５を閉する。ドロアユニット３は、引き出し３５が閉されたことをセンサで検知すると、開閉部３２がこの引き出し３５をロックする（ｓ２４、ｓ２５）。ドロアユニット３は、引き出し３５をロックすると、ドロア投入完了を本体ユニット２に通知する。本体ユニット２は、開閉許可フラグをリセットし（ｓ２６）、ｓ１８に戻る。
【００４９】
このように、行員は、顧客との取引において、識別部１３で金種が識別できなかった入金紙幣や、取扱金種でない入金紙幣を、ドロアユニット３に簡単に収納することができる。このため、行員の作業性の向上が図れる。また、識別部１３で金種が識別できなかった入金紙幣や、取扱金種でない入金紙幣は、ドロアユニット３内部に収納されるので、紛失や盗難等に対するセキュリティの向上も図れる。
【００５０】
なお、本体ユニット２は、ドロア投入により、ドロアユニット３に収納された紙幣も、今回の入金紙幣として取り扱う。
【００５１】
また、本体ユニット２は、ｓ１３、またはｓ２１で取消にかかる入力があると、図７（Ｂ）に示すように、この時点で一時保留部２６に収納している紙幣の返却処理を行う（ｓ２７）。ｓ２７では、一時保留部２６に収納している全ての紙幣を、返却口２２に搬送し、放出する。また、本体ユニット２は、今回の入金処理において、ドロアユニット３に紙幣が投入されていれば（ｓ２８）、ドロアユニット３に対して引き出し３５の開指示を与える。ここでは、開閉許可フラグの状態に関係なく、ドロアユニット３に対して引き出し３５の開指示を与える。これにより、ドロアユニット３の開閉部３２がロックを解除し、引き出し３５を開状態にする（ｓ２９）。
【００５２】
行員は、ドロアユニット３の引き出し３５のトレイ３６から、今回の入金処理で収納した入金紙幣を抜き取る。そして、行員は、引き出し３５をドロアユニット３に押し込んで閉する。ドロアユニット３は、引き出し３５が閉されたことをセンサで検知すると、開閉部３２がこの引き出し３５をロックする（ｓ３０、ｓ３１）。ドロアユニット３は、引き出し３５をロックすると、ドロア投入完了を本体ユニット２に通知する。
【００５３】
行員は、返却口２２に放出された紙幣、およびドロアユニット３から抜き取った紙幣を、顧客に返却し、今回の取引を中止する。
【００５４】
本体ユニット２は、確定にかかる入力があると、一時保留部２６に保留している紙幣を金種別カートリッジ２４に収納する入金紙幣収納処理を行う（ｓ３２）。ｓ３２では、一時保留部２６に保留している入金紙幣を１枚ずつ繰り出し、識別部１３に搬送する。そして、各紙幣を識別部１３で識別された金種に該当する金種別カートリッジ２４に搬送し収納する。また、このとき、識別部１３で金種が識別できなかった紙幣については、回収カートリッジ２５に搬送し収納する。
【００５５】
本体ユニット２は、今回の入金処理で、金種毎に、金種別カートリッジ２４に収納した入金紙幣の枚数、および、推定される回収カートリッジ２５に収納した金種毎の入金紙幣の枚数を用いて、本体ユニット２に収納されている、金種毎の紙幣の枚数を更新する（ｓ３３）。また、本体ユニット２は、操作端末４から通知された、今回の入金処理でドロアユニット３の引き出し３５に収納された金種毎の入金紙幣の枚数を用いて、ドロアユニット３に収納されている、金種毎の紙幣の枚数も更新する（ｓ３４）。
【００５６】
なお、行員は、操作端末４において、今回の入金処理にかかる取引を確定する操作を行うと、顧客との取引を処理する。また、操作端末４は、行員によって入力された取引データを上位装置に通知する。
【００５７】
次に、ｓ４にかかる出金処理について説明する。図８は、出金処理を示すフローチャートである。行員は、操作端末４において、出金データを入力する。この出金データには、出金する紙幣の金種毎に、その枚数が含まれている。操作端末４は、出金データを本体ユニット２に送信する。
【００５８】
本体ユニット２は、ドロアユニット３に収納されている紙幣で、出金データにかかる出金が行えるかどうかを判定する（ｓ４１）。ｓ４１では、今回出金する紙幣の金種毎に、ドロアユニット３内に収納している枚数（管理している枚数）が、今回出金する枚数以上であるかどうかを判定する。本体ユニット２は、全ての金種で、今回出金する枚数以上であると判定すると、出金可能であると判定する。言い換えれば、いずれかの金種で、今回出金する枚数未満であると判定すると、出金可能でないと判定する。
【００５９】
本体ユニット２は、ドロアユニット３内に収納されている紙幣で出金が可能であると判定すると、ドロアユニット３に対して引き出し３５の開指示を与える。ここでは、開閉許可フラグの状態に関係なく、ドロアユニット３に対して引き出し３５の開指示を与える。これにより、ドロアユニット３の開閉部３２がロックを解除し、引き出し３５を開状態にする（ｓ４２）。
【００６０】
行員は、ドロアユニット３の引き出し３５のトレイ３６から、今回の出金処理で顧客に渡す出金紙幣を抜き取る。そして、行員は、引き出し３５をドロアユニット３に押し込んで閉する。ドロアユニット３は、引き出し３５が閉されたことをセンサで検知すると、開閉部３２がこの引き出し３５をロックする（ｓ４３、ｓ４４）。ドロアユニット３は、引き出し３５をロックすると、ドロアユニット３に収納されている、金種毎の紙幣の枚数も更新し（ｓ４５）、本処理を終了する。このとき、本体ユニット２は、操作端末４に対して、出金完了を通知する。
【００６１】
また、本体ユニット２は、ドロアユニット３に収納されている紙幣で、出金データにかかる出金が行えないと判定すると、金種別カートリッジ２４に収納している紙幣を繰り出し、出金口２３に放出する（ｓ４６）。ｓ４６では、金種毎に、出金枚数の紙幣を該当する金種別カートリッジ２４から繰り出し、識別部１３で金種を識別する。金種が識別できた紙幣は、出金口２３に搬送し、金種が識別できなかった紙幣は、回収カートリッジ２５に搬送する。また、回収カートリッジ２５に搬送し収納した出金紙幣を繰り出した金種別カートリッジ２４から、出金紙幣を１枚繰り出す。本体ユニット２は、出金口２３への出金紙幣の放出が完了すると、操作端末４に対して、出金紙幣完了を通知するとともに、管理している金種別カートリッジ２４、および回収カートリッジ２５内に収納している金種毎の紙幣の枚数を更新する（ｓ４８）。
【００６２】
このように、この紙幣処理装置１は、ドロアユニット３内に収納している紙幣を、出金紙幣として優先的に用いる構成であるので、管理しているドロアユニット３内に収納している紙幣の金種毎の枚数と、実際にドロアユニット３内に収納されている紙幣の金種毎の枚数と、が一致していない状況になると、出金できない事態が生じる。言い換えれば、出金処理において、ドロアユニット３内に収納されている紙幣で、出金紙幣が賄えない事態が生じる。このため、行員による紙幣の不正な抜き取りや、紛失に対するセキュリティを向上させることができる。
【００６３】
また、入金処理においては、直前の計数処理で返却口２２に放出された紙幣があった場合に、ドロアユニット３の引き出し３５を開状態にするのを許容する構成としているので、引き出し３５の無駄な開閉が抑えられる。したがって、ドロアユニット３内に収納されている紙幣の紛失や、盗難等に対するセキュリティも十分に確保できる。
【００６４】
また、装置が入出金処理した本体ユニット２と、人が介在して入出金処理したドロアユニット３の現金管理量を各々別管理していることから、例えば、上位装置と接続された構成においては、精査時に印刷する帳票の印刷形態を上記本体ユニット２とドロアユニット３の現金管理量を各々別々に区分けして印字する等の構成としてもよい。
【００６５】
なお、上記説明では、硬貨については特に説明しなかったが、ドロアユニット３は、硬貨も収納する構成としてもよい。この場合には、硬貨の入金や、硬貨の出金がある場合に、ドロアユニット３の引き出し３５を開状態にするのを許容する構成とすればよい。
【符号の説明】
【００６６】
１−紙幣処理装置
２−本体ユニット
３−ドロアユニット
４−操作端末
１１−主制御部
１２−搬送部
１３−識別部
１４−通信部
１５−操作部
３１−制御部
３２−開閉部
３３−通信部
【図１】
2010257295.tif 000003
【図２】
2010257295.tif 000004
【図３】
2010257295.tif 000005
【図４】
2010257295.tif 000006
【図５】
2010257295.tif 000007
【図６】
2010257295.tif 000008
【図７】
2010257295.tif 000009
【図８】
2010257295.tif 000010